(57)【特許請求の範囲】
【請求項１】
パッキンが接着剤により接着され、磁性材料からなりサイズが異なる各々の柱上変圧器カバーに対し、前記サイズが異なる柱上変圧器カバー毎に前記パッキンを接着した面内及びその近傍の柱上変圧器カバーを集中的に誘導加熱し、前記柱上変圧器カバーに発生する熱で前記接着剤を加熱し、サイズ（径）が異なるカバーにも対応できるように、サイズ（径）を異ならせた複数の誘導加熱コイルを、サイズ（径）が大きいコイルをサイズ（径）が小さいコイルよりも高い位置に位置させて配置した誘導加熱コイルを備えた加熱装置と、前記誘導加熱コイルに高周波電力を供給するための高周波電源とを備えた柱上変圧器カバーのパッキン剥離装置。
【請求項２】
パッキンが接着剤により接着され、磁性材料からなりサイズが異なる各々の柱上変圧器カバーに対し、前記サイズが異なる柱上変圧器カバー毎に前記パッキンを接着した面内及びその近傍の柱上変圧器カバーを集中的に誘導加熱し、前記柱上変圧器カバーに発生する熱で前記接着剤を加熱し、１つの誘導加熱コイルで構成され、前記誘導加熱コイルにカバー載置台が誘導加熱コイルが形成される平面に対し上方に配置され、サイズ（径）が異なるカバーにも対応できるように、サイズ（径）を異ならせた複数の前記カバー載置台を、サイズ（径）が大きいカバー載置台をサイズ（径）が小さいカバー載置台よりも高い位置に位置させた加熱装置と、前記誘導加熱コイルに高周波電力を供給するための高周波電源とを備えた柱上変圧器カバーのパッキン剥離装置。
【発明の詳細な説明】
【０００１】
【産業上の利用分野】
本発明は、柱上変圧器カバーのパッキン剥離装置に関するものである。
【０００２】
【従来の技術】
装柱されている柱上変圧器は定期的に点検が行われる。柱上変圧器の揚げ換えが行われると、降ろされた柱上変圧器は修理工場で点検、部品交換及び再塗装等の工場引取り補修が行われる。柱上変圧器カバーのパッキンは、工場引取り補修の際に新品に取り換えられる。
【０００３】
ところで、図４に示すように、周縁部が折り曲げられて容器状に形成された柱上変圧器カバー１の裏側面の折り曲げ部に沿ってリング状のパッキン２が接着剤３により強固に接着され、またパッキン２がかなり大きなものであるので、通常の機械的手段で柱上変圧器カバー１を剥ぎ取ることは容易ではない。そこで本出願人は、パッキン２が接着された柱上変圧器カバー１を液体窒素の冷熱により低温の所定温度に保持された空間内に導き入れて柱上変圧器カバー１を所定温度近くに冷却し、次に柱上変圧器カバー１に液体窒素を散布して柱上変圧器カバー１を更に低温に冷却することにより、柱上変圧器カバー１のパッキン２を剥離する方法を提案した（特開平４−２３９１１１号参照）。
【０００４】
【発明が解決しようとする課題】
しかしながら、従来のパッキンを剥離する方法では、液体窒素が非常に高価であるため、ランニングコストが高いという問題があった。また、液体窒素を使用するため、設備が大掛かりであるという問題があった。
【０００５】
【０００６】
本発明の目的は、柱上変圧器カバーのパッキン剥離装置を提供することにある。
【０００７】
【課題を解決するための手段】
請求項１に記載の発明は、パッキンが接着剤により接着された磁性材料からなる柱上変圧器カバーを誘導加熱し、柱上変圧器カバーに発生する熱で接着剤を加熱することによって柱上変圧器カバーからパッキンを剥離させるようにしたものである。
【０００８】
【０００９】
【００１０】
【００１１】
【００１２】
【００１３】
請求項１に記載の発明においては、パッキンが接着剤により接着され、磁性材料からなりサイズが異なる各々の柱上変圧器カバーに対し、サイズが異なる柱上変圧器カバー毎にパッキンを接着した面内及びその近傍の柱上変圧器カバーを集中的に誘導加熱し、柱上変圧器カバーに発生する熱で接着剤を加熱し、サイズ（径）が異なるカバーにも対応できるように、サイズ（径）を異ならせた複数の誘導加熱コイルを、サイズ（径）が大きいコイルをサイズ（径）が小さいコイルよりも高い位置に位置させて配置した誘導加熱コイルを備えた加熱装置と、誘導加熱コイルに高周波電力を供給するための高周波電源とを備えたものである。
【００１４】
請求項１に記載の発明においては、サイズが異なる柱上変圧器カバーに対し、柱上変圧器カバー毎に、柱上変圧器カバーを加熱する誘導加熱コイルを備えた加熱装置により、１つの剥離装置でサイズが異なる柱上変圧器カバーの処理が可能となる。
【００１５】
請求項２に記載の発明においては、パッキンが接着剤により接着され、磁性材料からなりサイズが異なる各々の柱上変圧器カバーに対し、前記サイズが異なる柱上変圧器カバー毎に前記パッキンを接着した面内及びその近傍の柱上変圧器カバーを集中的に誘導加熱し、前記柱上変圧器カバーに発生する熱で前記接着剤を加熱し、１つの誘導加熱コイルで構成され、前記誘導加熱コイルにカバー載置台が誘導加熱コイルが形成される平面に対し上方に配置され、サイズ（径）が異なるカバーにも対応できるように、サイズ（径）を異ならせた複数の前記カバー載置台を、サイズ（径）が大きいカバー載置台をサイズ（径）が小さいカバー載置台よりも高い位置に位置させた加熱装置と、前記誘導加熱コイルに高周波電力を供給するための高周波電源とを備えたものである。
【００１６】
請求項２に記載の発明においては、誘導加熱コイルの所定位置にタップを設けたことにより、１つの剥離装置でサイズが異なる数多くの柱上変圧器カバーに対する処理が可能となる。
【００１７】
【発明の実施の形態】
図１は本発明の第１の実施形態に係る柱上変圧器カバーのパッキン剥離装置の概略構成図である。図２は本発明の第１の実施形態に係る柱上変圧器カバーのパッキン剥離装置の上面図である。なお、この剥離装置１つで、サイズが異なる柱上変圧器カバーに対しても、柱上変圧器カバー毎に処理が可能となる構成にしてある。
【００１８】
図１に示すように、裏側面に従来と同様のパッキン２が接着剤３により接着された柱上変圧器カバー１が剥離装置５に載置されている。柱上変圧器カバー１は鉄、ステンレンス等の磁性材料からなり、パッキン２は合成ゴム（ＮＢＲ）またはコルク合成ゴムからなり、接着剤３は溶剤稀釈形の合成ゴム系からなる。剥離装置５は、加熱装置６と高周波電源７とから構成されている。加熱装置６は図２に示すように、誘導加熱コイル６ａとカバー載置台６ｂとから構成されている。なお、剥離装置５は、柱上変圧器カバー１の温度を監視するための温度センサ９が必要に応じて構成され、その出力が高周波電源７を制御する図示しない制御装置に入力されている。
【００１９】
誘導加熱コイル６ａは、絶縁被覆された銅線が平面的なリング状に巻回され、そのリング幅及び直径がパッキン３と同等またはそれ以上に形成され、柱上変圧器カバー１が載置された状態で、このカバーに近接配置されるようにカバー載置台６ｂに収容されている。この例では、サイズが異なる例えば３つのカバーに対応できるように、誘導加熱コイル６ａは３つの誘導加熱コイル６a1，６a2，６a3から構成され、これらの誘導加熱コイルの何れかがコイル切換スイッチ８を介して高周波電源７に接続されるようになっている。このコイル切換スイッチ８は、誘導加熱コイル６ａを複数で構成した場合に、剥離装置５として構成される。
【００２０】
カバー載置台６ｂは、ＦＲＰ等の耐熱性絶縁材料からなり、カバー位置合わせ部材６b1及びベース部材６b4から構成されている。カバー位置合わせ部材６b1は、円形のベース部材６b4に例えば４５°置きに放射状に取り付けられ、柱上変圧器カバー１を載置した際に、上記３つのそれぞれのカバーに対し、カバーの表側面の折り曲げ部で位置合わせができるように、また、収容されている加熱誘導コイル６ａに接触して絶縁被覆が損傷を受けないように突起部が複数設けられている。この突起部の上端位置が上記３つのカバーに対応するように段階的に変化され、突起部間の平坦部の上端位置が上記３つのカバーに対応するように、また、加熱誘導コイル６ａが柱上変圧器カバー１に近接配置されるように段階的に変化されている。
【００２１】
カバー位置合わせ部材６b1に形成された突起部間の平坦部に、加熱誘導コイル６ａが載置されており、突起部の位置は、３つの誘導加熱コイル６a1，６a2，６a3のそれぞれが上記３つのカバーに接着されたパッキンにそれぞれ対応するように配置されている。
【００２２】
上記のような剥離装置においては、パッキン２が接着剤３により接着された柱上変圧器カバー１を、その裏側面が上向きとなる状態で柱上変圧器カバー１のサイズに合わせてカバー載置台６ｂの所定位置に載せ、温度センサ９をパッキン２近傍の柱上変圧器カバー１の裏側面に取り付け、上記の所定位置に対応する例えば誘導加熱コイル６a1にコイル切換スイッチ８により切り換えた後、高周波電源７から高周波電力を供給すると、パッキン２が貼付された面内及びその近傍の柱上変圧器カバー１が集中的に誘導加熱され、柱上変圧器カバー１で発生する熱により接着剤３が軟化し始めて接着力が次第に低下する。
【００２３】
柱上変圧器カバー１が所定の加熱温度に達すると、高周波電源７がオフする。この温度でパッキン２が柱上変圧器カバー１から剥離し始めているので、手作業でパッキン２を容易に剥がすことができる。この加熱温度は、接着剤３が軟化し始める程度の温度から溶融しない程度の温度までの範囲内に設定される。このように、加熱温度を上記温度に設定した理由は、接着剤３は上記温度以上に加熱されると、溶融することになり、溶融した接着剤３を拭き取る作業が必要になる。
【００２４】
このように、１つの剥離装置でサイズが異なる数多くの柱上変圧器カバーの処理が可能となる。
【００２５】
ここで、例えば、カバーの内径が４００mm、厚さが２．３mm、パッキンの外径が４００mm、幅が２２mm、厚さ６mm、コイルの外径が４８０mm、幅が１００mm、厚さ６mm、高周波電力が５ KW、周波数が６０KHz 、加熱温度が１３０℃、加熱時間が３０秒とすると、接着剤２が溶融寸前の状態となり、パッキン２を容易に剥がすことができた。
【００２６】
図３は本発明の第２の実施形態に係る柱上変圧器カバーのパッキン剥離装置の概略構成図である。
【００２７】
誘導加熱コイル６ａは、平面的なリング状に巻回された１つのコイルで構成され、サイズが異なる柱上変圧器カバーの数及び大きさを考慮した位置に、誘導加熱コイルの両端に設けられた給電部以外の給電部が設けられ、柱上変圧器カバー１が載置された状態で、このカバーに近接配置されるようにカバー載置台６ｂに収容されている。この例では、サイズが異なる例えば６つのカバーに対応するように例えば５つの給電部が設けられ、これら７つの給電部の何れか２つが給電部切換スイッチ１８を介して高周波電源７に接続されるようになっている。
【００２８】
カバー載置台６ｂは、カバー位置合わせ部材６b1、支持部材６b2、コイル載置部材６b3及びベース部材６b4から構成されている。カバー位置合わせ部材６b1は、その上部側に柱上変圧器カバー１の表側面の折り曲げ部で位置合わせができるように段差が設けられ、この段差が上記６つのカバーに対応させて階段状に形成され、ベース部材６b4に取り付けられた支持部材６b2により両端が支持されている。コイル載置部材６b3は、それぞれの支持部材６b2に跨って取り付けられ、誘導加熱コイル６ａが柱上変圧器カバー１に近接配置されるように上部側に取り付けられている。誘導加熱コイル６ａは、カバー位置合わせ部材６b1、支持部材６b2及びコイル載置部材６b3により形成される空間に収容されている。カバー位置合わせ部材６b1、支持部材６b2及びコイル載置部材６b3により組み合わされたコ字状の構成体が円形のベース部材に例えば４５°置きに放射状に取り付けられている。なお、誘導加熱コイル６ａは、加熱装置の中央部に行くに従って斜め下向きに配置することにより、さらに柱上変圧器カバー１に近接配置されるようになる。
【００２９】
このように、１つの剥離装置でサイズが異なる数多くの柱上変圧器カバーに対する処理が可能となる。また、パッキンを接着した面内及びその近傍の柱上変圧器カバーが集中的に誘導加熱されない場合、給電部の切り換えを変更することにより、適正に加熱させることができる。
【００３０】
上記の実施形態においては、柱上変圧器カバー１が所定の加熱温度に達したとき、高周波電源７をオフする手段として、所定の通電電流及び所定の通電時間を、高周波電源７を制御する図示しない制御装置に設定するようにしてもよい。
【００３１】
柱上変圧器カバー１が所定の加熱温度にほぼ達したことを人為的に監視すれば、柱上変圧器カバー１の温度を監視するための温度センサ９または所定の通電電流及び所定の通電時間の設定により、高周波電源７を制御する図示しない制御装置は必要がない。
【００３２】
誘導加熱コイル６ａを切換スイッチ８により切り換える場合、柱上変圧器カバー１をカバー載置台６ｂの各所定位置に載せたときに感知するセンサをそれぞれ設けるようにしてもよい。
【００３３】
【発明の効果】
以上のように、請求項１に記載した発明によれば、接着剤が軟化して接着力が弱められ、人手によって容易に柱上変圧器カバーからパッキンが剥離される状態になっているので、ランニングコストを低減すると共に、設備を小規模にすることができる。
また、柱上変圧器カバーが効率よく加熱されるので、パッキンの剥離作業及び電力消費を効率よく行うことができる。
また、接着剤が溶融しないので、接着剤を拭き取る作業の準備をする必要がないようにすることができる。
さらに、サイズが異なる柱上変圧器カバーに対し、柱上変圧器カバー毎に、柱上変圧器カバーを加熱する誘導加熱コイルを備えた加熱装置にしたので、１つの剥離装置でサイズが異なる柱上変圧器カバーを処理することができる。
【００３４】
【００３５】
【００３６】
【００３７】
請求項２に記載の発明によれば、１つの剥離装置でサイズが異なる数多くの柱上変圧器カバーに対して処理することができる。
【図面の簡単な説明】
【図１】  本発明の第１の実施形態に係る柱上変圧器カバーのパッキン剥離装置の概略構成図である。
【図２】  本発明の第１の実施形態に係る柱上変圧器カバーのパッキン剥離装置の上面図である。
【図３】  本発明の第２の実施形態に係る柱上変圧器カバーのパッキン剥離装置の概略構成図である。
【図４】  柱上変圧器カバーを一部破断して示した側面図である。
【符号の説明】
１  柱上変圧器カバー
２  パッキン
３  接着剤
５  剥離装置
６  加熱装置
６ａ  誘導加熱コイル
７  高周波電源
【図１】
0004213930.tif 000002
【図２】
0004213930.tif 000003
【図３】
0004213930.tif 000004
【図４】
0004213930.tif 000005